【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、前記対物光学系によって形成される中間像よりも物体側には、少なくとも１面の反射面が非回転対称な面形状で構成されたプリズムが配置され、また、前記像反転光学系の反射面の中少なくとも１面がダハ面で構成され、次の条件式を満たしていることを特徴とするファインダ光学系。
１．０＜ｄ／（ｆw ・ｔａｎθw ・Ｚ）＜２．５                （１）
ただし、ｄは対物光学系の入射面から像反転光学系の第１反射面までの距離、ｆw は対物光学系の広角端の焦点距離、θw は対物光学系の広角端の最大画角、Ｚはズーム比である。
【請求項２】
物体側から順に、正の屈折力を有する対物光学系と、対物光学系による中間像を正立正像にするための像反転光学系と、正の屈折力を有する接眼光学系とを有し、
前記対物光学系は、物体側より、負の第１群、正の第２群、負の第３群からなり、少なくとも第１群と第２群が変倍に際し移動し、また、第３群は像反転作用も含むプリズムで構成され、該プリズムは少なくとも１面の反射面が非回転対称な面形状で構成されていることを特徴とするファインダ光学系。
【請求項３】
物体側から順に、正の屈折力を有する対物光学系と、対物光学系による中間像を正立正像にするための像反転光学系と、正の屈折力を有する接眼光学系とを有し、
前記対物光学系は、物体側より、負の第１群、正の第２群、正の第３群からなり、少なくとも第１群と第２群が変倍に際し移動し、また、第３群は像反転作用も含むプリズムで構成され、該プリズムは少なくとも１面の反射面が非回転対称な面形状で構成され、少なくとも１面の透過面あるいは反射面が負パワーで構成され、その主点位置が中間像面よりも瞳側に配置されていることを特徴とするファインダ光学系。
【請求項４】
前記プリズムの第２透過面にパワーを有していることを特徴とする請求項３記載のファインダ光学系。
【請求項５】
前記第２透過面は非回転対称な面形状で構成されていることを特徴とする請求項４記載のファインダ光学系。
【請求項６】
前記プリズムの第１反射面にパワーを有していることを特徴とする請求項３記載のファインダ光学系。
【請求項７】
前記プリズムの反射回数は２回又は３回で構成されていることを特徴とする請求項１又は３記載のファインダ光学系。
【請求項８】
前記変倍に際して移動する移動群は２つの群のみで構成したことを特徴とする請求項１又は３記載のファインダ光学系。
【請求項９】
物体側から順に、正の屈折力を有する対物光学系と、対物光学系による中間像を正立正像にするための像反転光学系と、正の屈折力を有する接眼光学系とを有し、
前記対物光学系は少なくとも変倍に際し移動する２つの群を有した合成パワーが正の光学系と、その瞳側に像反転作用も含むプリズムが配置され、該プリズムは少なくとも１面の反射面が非回転対称な面形状で構成され、第１透過面あるいは第１反射面の少なくとも何れかが負のパワーで構成され、また、第２透過面が正パワーで構成されていることを特徴とするファインダ光学系。
【請求項１０】
前記第１透過面と前記第１反射面の中何れかを正のパワーで構成したことを特徴とする請求項９記載のファインダ光学系。
【請求項１１】
前記プリズムの反射回数は２回又は３回で構成されていることを特徴とする請求項９記載のファインダ光学系。
【請求項１２】
前記変倍に際し移動する対物移動群の焦点距離は次の条件式を満たすことを特徴とする請求項９記載のファインダ光学系。
０．３＜ｆmove／ｆw ＜０．９                                （７）
ただし、ｆmoveは対物移動群の広角端での合成焦点距離、ｆw は対物光学系の広角端での焦点距離である。
【請求項１３】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、対物光学系により形成される中間像よりも物体側には２面の反射面からなるプリズムが配置され、該プリズムは少なくとも１面の反射面が非回転対称な面形状で構成され、以下の条件式を満たすことを特徴とするファインダ光学系。
０．５＜ｄｐ／（ｆw ・ｔａｎθw ）＜１．１                  （９）
ただし、ｆw は対物光学系の広角端の焦点距離、θw は対物光学系の広角端の最大画角、ｄｐは中間像よりも物体側に配置された像反転光学系の入射面から第１反射面までの距離である。
【請求項１４】
該プリズムの第１反射面が非回転対称な面形状で構成され、他の透過面、反射面とは別体の独立の面で構成したことを特徴とする請求項１３記載のファインダ光学系。
【請求項１５】
該プリズムの第２透過面がパワーを有していることを特徴とする請求項１３記載のファインダ光学系。
【請求項１６】
前記第２透過面は非回転対称な面形状で構成されていることを特徴とする請求項１５記載のファインダ光学系。
【請求項１７】
軸上主光線若しくは軸上主光線の一部を含んだ平面上に射影することにより定義する射影軸上主光線がプリズム内部で交差しないことを特徴とする請求項１３記載のファインダ光学系。
【請求項１８】
該プリズムの第１透過面又は第１反射面が負のパワーを有していることを特徴とする請求項１３記載のファインダ光学系。
【請求項１９】
前記変倍に際し移動する対物移動群の焦点距離は次の条件式を満たすことを特徴とする請求項１３記載のファインダ光学系。
０．３＜ｆmove／ｆw ＜０．９                              （１１）
ただし、ｆmoveは対物移動群の広角端での合成焦点距離、ｆw は対物光学系の広角端での焦点距離である。
【請求項２０】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、対物光学系により形成される中間像よりも物体側には３面の反射面からなるプリズムが配置され、該プリズムは少なくとも１面の反射面が非回転対称な面形状で構成されていることを特徴とするファインダ光学系。
【請求項２１】
該プリズムの反射面の中少なくとも２面が他の透過面、反射面とは別体の独立の面で構成したことを特徴とする請求項２０記載のファインダ光学系。
【請求項２２】
該プリズムの第１反射面が非回転対称な面形状で構成され、他の透過面、反射面とは別体の独立の面で構成したことを特徴とする請求項２０記載のファインダ光学系。
【請求項２３】
該プリズムの第３反射面が非回転対称な面形状で構成され、他の透過面、反射面とは別体の独立の面で構成したことを特徴とする請求項２０記載のファインダ光学系。
【請求項２４】
該プリズムの第２透過面がパワーを有していることを特徴とする請求項２０記載のファインダ光学系。
【請求項２５】
前記第２透過面は非回転対称な面形状で構成されていることを特徴とする請求項２４記載のファインダ光学系。
【請求項２６】
軸上主光線若しくは軸上主光線の一部を含む平面上に射影することにより定義する射影軸上主光線がプリズム内部で交差しないことを特徴とする請求項２０記載のファインダ光学系。
【請求項２７】
該プリズムの第１透過面又は第１反射面が負のパワーを有していることを特徴とする請求項２０記載のファインダ光学系。
【請求項２８】
前記変倍に際し移動する対物移動群の焦点距離は次の条件式を満たすことを特徴とする請求項２０記載のファインダ光学系。
０．３＜ｆmove／ｆw ＜０．９                              （１３）
ただし、ｆmoveは対物移動群の広角端での合成焦点距離、ｆw は対物光学系の広角端での焦点距離である。
【請求項２９】
物体側から順に、正の屈折力を有する対物光学系と、対物光学系による中間像を正立正像にするための像反転光学系と、正の屈折力を有する接眼光学系とを有し、
前記対物光学系は、物体側より、負の第１群、正の第２群、負の第３群からなり、少なくとも第１群と第２群が変倍に際し移動し、また、第３群は像反転作用も含むプリズムで構成され、該プリズムは少なくとも１面の反射面が非回転対称な面形状で構成されていることを特徴とするファインダ光学系。
【請求項３０】
物体側から順に、正の屈折力を有する対物光学系と、対物光学系による中間像を正立正像にするための像反転光学系と、正の屈折力を有する接眼光学系とを有し、
前記対物光学系は、物体側より、負の第１群、正の第２群、正の第３群からなり、少なくとも第１群と第２群が変倍に際し移動し、また、第３群は像反転作用も含むプリズムで構成され、該プリズムは少なくとも１面の反射面が非回転対称な面形状で構成され、少なくとも１面の透過面あるいは反射面が負パワーで構成され、その主点位置が中間像面よりも瞳側に配置されていることを特徴とするファインダ光学系。
【請求項３１】
前記プリズムの第２透過面にパワーを有していることを特徴とする請求項２９又は３０記載のファインダ光学系。
【請求項３２】
前記第２透過面は非回転対称な面形状で構成されていることを特徴とする請求項３１記載のファインダ光学系。
【請求項３３】
該プリズムの反射回数は２回又は３回で構成されていることを特徴とする請求項２９又は３０記載のファインダ光学系。
【請求項３４】
前記変倍に際し移動する対物移動群の焦点距離は次の条件式を満たすことを特徴とする請求項２９又は３０記載のファインダ光学系。
０．３＜ｆmove／ｆw ＜０．９                              （１５）
ただし、ｆmoveは対物移動群の広角端での合成焦点距離、ｆw は対物光学系の広角端での焦点距離である。
【請求項３５】
前記変倍時に前記第３群は中間結像面に対し固定であることを特徴とする請求項２９又は３０記載のファインダ光学系。
【請求項３６】
前記変倍に際し移動する対物移動群は何れも屈折レンズで構成されていることを特徴とする請求項２９又は３０記載のファインダ光学系。
【請求項３７】
前記変倍に際し移動する対物移動群は何れも１枚からなる屈折レンズで構成されていることを特徴とする請求項２９又は３０記載のファインダ光学系。
【請求項３８】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、２面の反射面からなり、第１透過面と第２反射面が同一面で構成され、また、軸上主光線若しくは軸上主光線の一部を含む平面上に射影することにより定義する射影軸上主光線が、光線の進行方向を基準にしたときに、２つの反射面で別の方向に曲がる光路をとるプリズムが、対物光学系により形成される中間像よりも物体側に配置され、該プリズムは少なくとも１面の反射面が非回転対称な面形状で構成されていることを特徴とするファインダ光学系。
【請求項３９】
該プリズムの第１反射面は負パワーを有していることを特徴とする請求項３８記載のファインダ光学系。
【請求項４０】
該プリズムの第１反射面の反射角は次の条件式を満たすことを特徴とする請求項３８記載のファインダ光学系。
１５°＜θA1＜４０°                                      （１７）
ただし、θA1は第１反射面の反射角である。
【請求項４１】
前記対物光学系の入射光軸に対する前記プリズムの射出角度は次の条件式を満たすことを特徴とする請求項３８記載のファインダ光学系。
２５°＜θA ＜７５°                                      （１９）
ただし、θA は対物光学系の入射光軸に対するプリズムの射出角度である。
【請求項４２】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、対物光学系により形成される中間像よりも物体側には、２面の反射面からなり、何れの面も他の透過面、反射面とは独立で構成され、また、軸上主光線若しくは軸上主光線の一部を含む平面上に射影することにより定義する射影軸上主光線が、光線の進行方向を基準にしたときに２つの反射面共同じ方向に曲がる光路をとるプリズムが配置され、該プリズムは少なくとも１面の反射面が非回転対称な面形状で構成され、さらに次の条件式を満たすことを特徴とするファインダ光学系。
０．５＜ｄｐ／（ｆw ・ｔａｎθw ）＜１．１                （２１）
ただし、ｄｐは中間像よりも物体側に配置された像反転光学系の入射面から第１反射面までの距離、ｆw は対物光学系の広角端の焦点距離、θw は対物光学系の広角端の最大画角である。
【請求項４３】
該プリズムの第１透過面が負パワーを有していることを特徴とする請求項４２記載のファインダ光学系。
【請求項４４】
該プリズムの第２透過面が正パワーを有することを特徴とする請求項４２記載のファインダ光学系。
【請求項４５】
該プリズムの第１反射面の反射角は次の条件式を満たすことを特徴とする請求項４２記載のファインダ光学系。
３０°＜θB1＜６０°                                      （２３）
ただし、θB1は第１反射面の反射角である。
【請求項４６】
該プリズムの第２反射面の反射角は次の条件式を満たすことを特徴とする請求項４２記載のファインダ光学系。
３０°＜θB2＜６０°                                      （２５）
ただし、θB2は第２反射面の反射角である。
【請求項４７】
対物光学系の入射光軸に対する前記プリズムの射出角度は次の条件式を満たすことを特徴とする請求項４２記載のファインダ光学系。
１５０°＜φB ＜２１０°                                  （２７）
ただし、φB は対物光学系の入射光軸に対するプリズムの射出角度である。
【請求項４８】
ダハ反射面が中間像よりも瞳側に配置されていることを特徴とする請求項４２記載のファインダ光学系。
【請求項４９】
前記像反転手段はポロプリズムであることを特徴とする請求項４２記載のファインダ光学系。
【請求項５０】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、３面の反射面からなり、何れの面も他の透過面、反射面とは独立で構成され、また、軸上主光線若しくは軸上主光線の一部を含む平面上に射影することにより定義する射影軸上主光線が、光線の進行方向を基準にしたときに連続した２つの反射面で同じ方向に曲がり、もう１面ではそれとは異なる方向に曲がる光路をとるプリズムが対物光学系により形成される中間像よりも物体側に配置され、該プリズムは少なくとも１面の反射面が非回転対称な面形状で構成されていることを特徴とするファインダ光学系。
【請求項５１】
該プリズムの第１透過面は負パワーを有することを特徴とする請求項５０記載のファインダ光学系。
【請求項５２】
該プリズムの第１反射面の反射角は次の条件式を満たすことを特徴とする請求項５０記載のファインダ光学系。
３０°＜θC1＜６０°                                      （２９）
ただし、θC1は第１反射面の反射角である。
【請求項５３】
該プリズムの第３反射面の反射角は次の条件式を満たすことを特徴とする請求項５０記載のファインダ光学系。
３０°＜θC3＜６０°                                      （３１）
ただし、θC3は第３反射面の反射角である。
【請求項５４】
前記対物光学系の入射光軸に対する前記プリズムの射出角度は次の条件式を満たすことを特徴とする請求項５０記載のファインダ光学系。
７０°＜φC ＜１１０°                                    （３３）
ただし、φC は対物光学系の入射光軸に対するプリズムの射出角度である。
【請求項５５】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、３面の反射面からなり、第１反射面と第３反射面が他の透過面、反射面とは独立で構成され、第２反射面は第２透過面と同一面で構成され、また、軸上主光線若しくは軸上主光線の一部を含む平面上に射影することにより定義する射影軸上主光線が、光線の進行方向を基準にしたときに連続した２つの反射面で同じ方向に曲がり、もう１面ではそれとは異なる方向に曲がる光路をとるプリズムが対物光学系により形成される中間像よりも物体側に配置され、該プリズムは少なくとも１面の反射面が非回転対称な面形状で構成されていることを特徴とするファインダ光学系。
【請求項５６】
該プリズムの第１透過面が負パワーを有することを特徴とする請求項５５記載のファインダ光学系。
【請求項５７】
該プリズムの第１反射面の反射角は次の条件式を満たすことを特徴とする請求項５５記載のファインダ光学系。
２０°＜θD1＜６０°                                      （３５）
ただし、θD1は第１反射面の反射角である。
【請求項５８】
該プリズムの第３反射面の反射角は次の条件式を満たすことを特徴とする請求項５５記載のファインダ光学系。
１０°＜θD3＜５０°                                      （３７）
ただし、θD3は第３反射面の反射角である。
【請求項５９】
前記対物光学系の入射光軸に対する前記プリズムの射出角度は次の条件式を満たすことを特徴とする請求項５５記載のファインダ光学系。
２０°＜φD ＜６０°                                      （３９）
ただし、φD は対物光学系の入射光軸に対するプリズムの射出角度である。
【請求項６０】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、３面の反射面からなり、第１反射面と第３反射面が他の透過面、反射面とは独立で構成され、第２反射面は第１透過面、第２透過面と同一面で構成され、また、軸上主光線若しくは軸上主光線の一部を含む平面上に射影することにより定義する射影軸上主光線が、光線の進行方向を基準にしたときに何れも前面とは別の方向に曲がる光路をとるプリズムが対物光学系により形成される中間像よりも物体側に配置され、該プリズムは少なくとも１面の反射面が非回転対称な面形状で構成されていることを特徴とするファインダ光学系。
【請求項６１】
該プリズムの第１反射面が負パワーを有することを特徴とする請求項６０記載のファインダ光学系。
【請求項６２】
該プリズムの第１反射面の反射角は次の条件式を満たすことを特徴とする請求項６０記載のファインダ光学系。
１５°＜θE1＜４５°                                      （４１）
ただし、θE1は第１反射面の反射角である。
【請求項６３】
該プリズムの第３反射面の反射角は次の条件式を満たすことを特徴とする請求項６０記載のファインダ光学系。
１５°＜θE3＜４５°                                      （４３）
ただし、θE3は第３反射面の反射角である。
【請求項６４】
前記対物光学系の入射光軸に対する前記プリズムの射出角度は次の条件式を満たすことを特徴とする請求項６０記載のファインダ光学系。
１６０°＜φE ＜２００°                                  （４５）
ただし、φE は対物光学系の入射光軸に対するプリズムの射出角度である。
【請求項６５】
物体側から順に、正の屈折力を有する対物光学系と、対物光学系による中間像を正立正像にするための像反転光学系と、正の屈折力を有する接眼光学系とを有し、
前記対物光学系は変倍に際し移動する少なくとも２つの群を有し、また、３面の反射面からなり、何れの面も他の透過面、反射面とは独立で構成され、また、軸上主光線若しくは軸上主光線の一部を含む平面上に射影することにより定義する射影軸上主光線が、光線の進行方向を基準にした時に第１反射面、第２反射面が同方向に曲がる光路をとり、また、第３反射面がねじれの光路をとるプリズムが対物光学系により形成される中間像よりも物体側に配置され、該プリズムは少なくとも１面の反射面が非回転対称な面形状で構成されていることを特徴とするファインダ光学系。
【請求項６６】
該プリズムの第１反射面の反射角は次の条件式を満たすことを特徴とする請求項６５記載のファインダ光学系。
３０°＜θF1＜６０°                                      （４７）
ただし、θF1は第１反射面の反射角である。
【請求項６７】
該プリズムの第３反射面の反射角は次の条件式を満たすことを特徴とする請求項６５記載のファインダ光学系。
３０°＜θF3＜６０°                                      （４９）
ただし、θF3は第３反射面の反射角である。
【請求項６８】
該プリズムの対物光学系の入射光軸に対する射出角度は次の条件式を満たすことを特徴とする請求項６５記載のファインダ光学系。
７０°＜φF ＜１１０°                                    （５１）
ただし、φF は対物光学系の入射光軸に対するプリズムの射出角度である。
【請求項６９】
該プリズムは全ての移動群よりも瞳側に配置されていることを特徴とする請求項１〜２８、３８〜６８の何れか１項記載のファインダ光学系。